(57)【要約】      （修正有）【課題】高粘度媒体を注射するためのシリンジ、注射器および注射装置を提供する。【解決手段】シリンジ１２は、遠位端部１８および近位端部２０を有している。シリンジ１２は、中空円筒状であり、高粘度媒体を収容するための室を形成している。近位端部２０は、開口を有しており、開口を介して、プランジャロッドユニット１４を室内に挿入することができるようになっている。遠位端部１８には、ルアーロックコネクタが形成されており、ルアーロックコネクタは、高粘度媒体を供給するための比較的広い開口を備えた外側円錐と、雌ねじ山を備えたスリーブ状部分と、を有している。シリンジ１２は、９０Ｎ超のＮＰＯ最小抵抗を有している。【選択図】図４
2020124496.tif 000002
【特許請求の範囲】
【請求項１】
高粘度媒体を注射するための注射器用のシリンジ（１２）であって、
前記シリンジ（１２）は、遠位端部（１８）および近位端部（２０）を有しており、
前記シリンジ（１２）は、中空円筒状であり、高粘度媒体を収容するための室を形成しており、
前記近位端部（２０）は、開口を有しており、前記開口を介して、プランジャロッドユニット（１４）を前記室内に挿入することができるようになっており、
前記遠位端部（１８）には、ルアーロックコネクタ（２２）が形成されており、前記ルアーロックコネクタ（２２）は、高粘度媒体を供給するための比較的広い開口（４２）を備えた外側円錐（４０）と、雌ねじ山（４６）を備えたスリーブ状部分（４４）と、を有しており、
前記シリンジ（１２）は、９０Ｎ超のＮＰＯ最小抵抗を有している、
シリンジ（１２）。
【請求項２】
前記シリンジ（１２）は、少なくとも１００Ｎ、好適には少なくとも１０５Ｎ、好適には少なくとも１１０Ｎ、さらに好適には少なくとも１１５Ｎ、なおさらに好適には少なくとも１１７Ｎの平均的なＮＰＯ抵抗を有している、
請求項１記載のシリンジ（１２）。
【請求項３】
前記雌ねじ山（４６）は、７．０５ｍｍ〜７．１５ｍｍ、好適には７．０８ｍｍ〜７．１２ｍｍ、好適には７．１ｍｍの最小内径（Ｉ１）を有している、
請求項１または２記載のシリンジ（１２）。
【請求項４】
前記雌ねじ山（４６）は、ねじ山断面の稜線（５０）に、０．４４ｍｍ〜０．５２ｍｍ、好適には０．４６ｍｍ〜０．５０ｍｍ、好適には０．４８ｍｍの幅（ＢＫ）を有している、
請求項１から３までのいずれか１項記載のシリンジ（１２）。
【請求項５】
前記雌ねじ山（４６）は、ねじ山断面の谷（５４）に、０．８５ｍｍ〜０．９５ｍｍ、好適には０．８７５ｍｍ〜０．９２５ｍｍ、好適には０．９ｍｍの幅（ＢＧ）を有している、
請求項１から４までのいずれか１項記載のシリンジ（１２）。
【請求項６】
前記外側円錐（４０）の遠位端面（５６）は、２．１ｍｍ〜２．５ｍｍ、好適には２．２ｍｍ〜２．４ｍｍ、好適には２．３ｍｍの距離（Ａ）だけ、前記スリーブ状部分（４４）の遠位カラー（５８）を越えて突出している、
請求項１から５までのいずれか１項記載のシリンジ（１２）。
【請求項７】
前記シリンジ（１２）は、前記近位端部（２０）に、傾斜面（６０）を備えた内周面を有しており、前記傾斜面（６０）は、前記近位端部（２０）から前記遠位端部（１８）に向かう方向に見て、前記内周面を先細にしており、前記傾斜面（６０）は、前記シリンジ（１２）の長手方向軸線（Ｌ）の方向に見て、１．２ｍｍ〜１．８ｍｍ、好適には１．４ｍｍ〜１．６ｍｍ、好適には１．５ｍｍの長さ（ｗ）を有しておりかつ／または前記傾斜面（６０）は、前記長手方向軸線（Ｌ）とともに、少なくとも１３°、好適には少なくとも１４°、好適には少なくとも１５°の角度（γ）を形成している、
請求項１から６までのいずれか１項記載のシリンジ（１２）。
【請求項８】
前記シリンジ（１２）は、８０ｍｍの最大全長（ＬＳＫ）および最大５ｍｍの室内径（ＩＫ）を有しており、前記シリンジ（１２）内には少なくとも１ｍｌの体積（Ｖ）が収容可能である、
請求項１から７までのいずれか１項記載のシリンジ（１２）。
【請求項９】
前記シリンジ（１２）は、少なくとも前記室の領域に、少なくとも１．７ｍｍ、好適には少なくとも１．８ｍｍ、好適には少なくとも２．０ｍｍ、さらに好適には少なくとも２．２ｍｍの壁厚さを有している、
請求項１から８までのいずれか１項記載のシリンジ（１２）。
【請求項１０】
前記シリンジ（１２）は、好適には２８００ＭＰａ〜３３００ＭＰａ、特に２９００ＭＰａ〜３２００ＭＰａの弾性率を有するプラスチック材料から製造されている、
請求項１から９までのいずれか１項記載のシリンジ（１２）。
【請求項１１】
高粘度媒体を注射するための注射器であって、
前記注射器は、請求項１から１０までのいずれか１項記載のシリンジ（１２）と、プランジャロッドユニット（１４）と、を備えており、
前記プランジャロッドユニット（１４）は、プランジャロッド（２６）と、前記プランジャロッド（２６）の遠位端部に取り付けられたプランジャ（２８）と、を有しており、
前記プランジャ（２８）は、前記シリンジ（１２）の前記近位端部（２０）に形成された開口を介して前記室内に収容されており、前記室内で移動可能に案内されている、
注射器。
【請求項１２】
高粘度媒体を注射するための注射装置（１０）であって、
前記注射装置（１０）は、請求項１１記載の注射器と、針基（３２）およびカニューレ（３４）を備えた針ユニット（１６）と、を有しており、
前記針基（３２）は、前記シリンジ（１２）と前記針ユニット（１６）との間にルアーロック結合部を形成するために、前記シリンジ（１２）の前記ルアーロックコネクタ（２２）に対して相補的なルアーロックコネクタ対応部材（３６）を有している、
注射装置（１０）。
【請求項１３】
前記カニューレ（３４）は、少なくとも３１Ｇ、好適には少なくとも３２Ｇ、好適には少なくとも３３Ｇ、さらに好適には少なくとも３４Ｇ、なおさらに好適には少なくとも３５Ｇの太さを有しており、かつ／または、
前記針基（３２）は、内側円錐を有しており、前記内側円錐は前記針ユニット（１６）の長手方向軸線に沿って、３ｍｍ〜７ｍｍ、好適には５．５ｍｍ〜６．５ｍｍ、好適には６．１ｍｍの長さを有している、
請求項１２記載の注射装置。
【請求項１４】
請求項１から１０までのいずれか１項記載のシリンジ、請求項１１記載の注射器または請求項１２もしくは１３記載の注射装置を使用して、高粘度の美容調合物を投与することを含む、美容方法。
【発明の詳細な説明】
【技術分野】
【０００１】
本発明は、高粘度媒体を注射するためのシリンジ、注射器および注射装置に関する。特にこれらのシリンジ、注射器および注射装置は、高粘度医薬媒体を注射または投与するために使用され得る。
【背景技術】
【０００２】
注射器は、例えば医療分野および美容分野において用いられ、注射器内に収容された媒体を患者の体内に注射するために用いられる。例えば患者の皮膚の美容処置の枠内では、例えば患者の皮膚表面下に皮膚充填剤が注射される。美容用途では大抵、高粘度媒体が使用される。注射器内に収容される媒体には、流体、ペースト状または液状の物質ならびに混合物の、種々さまざまな形態が含まれてよい。
【０００３】
注射するために必要とされる皮膚穿孔およびこれに結びついた患者の痛みを可能な限り小さく保つために、好適には極めて小さなカニューレ太さ（「ゲージ」）を有する針が設けられる。これは特に、患者の顔での使用に当てはまる。
【０００４】
可能な限り小さなカニューレ太さと、注射すべき高粘度媒体との組み合わせは、注射器もしくはシリンジに高い荷重を加えることになる。特に注射器内の高い圧力は、注射ユニットの機械的な故障につながる恐れがある。しかしながら、注射器の機械的な故障は回避されねばならないため、従来周知の注射器では、小さなカニューレ太さを有する針の使用の可能性が制限されており、このこともやはり必然的に、患者に関する上述した欠点を伴う。
【発明の概要】
【発明が解決しようとする課題】
【０００５】
したがって本発明の課題は、従来技術に基づく欠点を克服することにある。特に本発明の課題は、高粘度媒体を注射するために、小さなカニューレ太さを有する針の使用を可能にするシリンジ、注射器および注射装置を提供する、という点にある。
【課題を解決するための手段】
【０００６】
この課題は、各独立特許請求項に記載のシリンジ、注射器および注射装置により解決される。シリンジ、注射器および注射装置の改良および実施形態は、従属請求項および以下の説明に記載されている。
【０００７】
本発明の１つの態様は、高粘度媒体を注射もしくは投与するための注射器用のシリンジに関する。１つの実施形態では、高粘度媒体は、少なくとも３０Ｐａおよび最高１５０Ｐａ、特に少なくとも５０Ｐａおよび最高１００Ｐａ、または少なくとも７０および最高９０Ｐａの貯蔵弾性率Ｇ’を特徴とする。損失率ｔａｎδは、０．２〜０．８、特に０．３〜０．６または０．４〜０．５であってよい。これは例えば、ヒアルロン酸充填剤であってよい。粘度は、プレート−プレート測定システムを用いて２５℃および１０１３．２５ｈＰａの気圧において、特に１Ｈｚの周波数でもって測定され得る（例えばＡｎｔｏｎ  Ｐａａｒ社のレオメータＭＣＲ３０２）。測定は、例えばＩＳＯ規格６７２１−１０−２０１５−０９に記載の方法により行われてよい。シリンジは、遠位端部と近位端部と、を有している。シリンジは中空円筒状であり、高粘度媒体を収容するための室を形成している。近位端部は開口を有しており、この開口を介して、プランジャロッドユニットが室内へ挿入可能であるまたは挿入されている。プランジャロッドユニットは、室内で室長手方向軸線の方向に移動可能でありかつシリンジ内で滑り案内されている。
【０００８】
シリンジの遠位端部にはルアーロックコネクタが形成されており、ルアーロックコネクタは、高粘度媒体を供給するための比較的広い開口を備えた外側円錐と、雌ねじ山を備えたスリーブ状部分と、を有している。ルアーロックコネクタは、ルアーロック結合システムの一部を形成しており、針ユニットに形成されたルアーロックコネクタ対応部材と協働するように形成されている。外側円錐は、シリンジの遠位端部を越えて突出し、室から高粘度媒体を導出可能な円錐形のノズルであると説明することもできる。外側円錐もやはり、ルアーロック結合システムの一部を成しており、やはり針ユニットの相補的な対応部材と協働する。ルアーロック結合システムにおいて、外側円錐と、この外側円錐を包囲するスリーブ状部分とは、互いに同軸的に配置されている。シリンジのルアーロックコネクタは、特にＩＳＯ規格８０３６９―７：２０１６−１２−０１の枠内で形成されかつ寸法設定されていてよい。このことは、本発明によるシリンジを、ルアーロック結合の分野において規格化された複数の異なる針ユニットとともに使用することを可能にする。
【０００９】
シリンジは、本発明に基づき９０Ｎ超のＮＰＯ最小抵抗を有している。好適にはシリンジは、９５Ｎ超、好適には１００Ｎ超、さらに好適には１０３Ｎ超のＮＰＯ最小抵抗を有していてよい。特にシリンジは、９０Ｎ〜１０５Ｎ、好適には９５Ｎ〜１０３．５Ｎ、好適には９８Ｎ〜１０２ＮのＮＰＯ最小抵抗を有していてよい。ＮＰＯは、「針落ち」（Needle Pop Off）を意味し、シリンジからの針ユニット、特にルアーロック結合部を介してシリンジに結合された針ユニットの急な解離もしくは脱落を表す。針ユニットは（プランジャロッドユニットを介してシリンジに力が加えられることによりトリガされて）高圧下で回動し始めるとともに、高速でシリンジから外れ始める、すなわち、シリンジの外側円錐に対して相補的な、針ユニットの内側円錐が外れる。
【００１０】
ＮＰＯ最小抵抗（「針落ち」最小抵抗）は、以下で説明する試験方法の枠内でシリンジ中にもたらされ、シリンジと作用結合状態にあるプランジャロッドユニットに加えられる力の閾値を示すものである。ＮＰＯ最小抵抗は、閾値未満で試験されたシリンジの１．８％以下に「針落ち」が生じる、ということにより規定されている。ＮＰＯ最小抵抗に関する有意な結果を得るためには、同一の型および構成のシリンジの、少なくとも５６の測定値が必要とされている。
【００１１】
ＮＰＯ抵抗、特にＮＰＯ最小抵抗および平均的なＮＰＯ抵抗を測定するための試験方法は、試験しようとするシリンジを試験機内で鉛直方向に配置するとともに、シリンジの近位端部の領域において保持する、ということを想定している。使用する試験機は、「ＴｅｓＴ」社の「ＴｅｓＴ  １０６．２ｋＮ」モデルのユニバーサル試験機である。この試験方法には、このユニバーサル試験機またはこれと比較可能なユニバーサル試験機を使用することができる。
【００１２】
試験しようとするシリンジは、ルアーロックコネクタを介して針ユニットに結合されており、針ユニットは、ルアーロックコネクタ対応部材を用いてルアーロック結合部を形成するために、１２Ｎｃｍのトルクでもってシリンジの遠位端部にねじ嵌められている。具体的には、前記試験方法は、針ユニット「ＴＳＫ  ＳＴＥＲｉＪＥＣＴ  Ｈｙｐｏｄｅｒｍｉｃ  Ｎｅｅｄｌｅ」Ｒｅｆ．：ＰＲＣ−３００１３ｌ，３０Ｇ×１／２またはこれと比較可能な針ユニットを用いて実施されることが望ましい。この試験方法に用いられた針ユニットは、ルアーロックコネクタ対応部材として、内側円錐と、針ユニットの針基の外周面に配置された２つの尖端部と、を有している。この試験方法に用いられた針ユニットは、３０Ｇの太さおよび１３ｍｍ（３０Ｇ×１／２）の長さを備えたカニューレもしくは中空針を有している。カニューレは、試験のために試験方法実施前にハンマーで平らにし、これにより閉じておかねばならない。この試験方法のためには、針ユニットがシリンジにねじ嵌められてから、高粘度媒体が室内に充填されることにより、乾式のルアーロック結合部が形成され得る。この試験方法は、蒸気殺菌されていないコンポーネント（シリンジ、針ユニット、プランジャロッドユニット）を用いて実施され得る。
【００１３】
本発明の試験方法に関しては、約８４．５Ｐａの貯蔵弾性率Ｇ’と、約０．４８の損失率ｔａｎδと、を有する高粘度媒体が選択され得る。粘度は、プレート−プレート測定システムを用いて２５℃および１０１３．２５ｈＰａの気圧において、特に１Ｈｚの周波数でもって測定され得る（例えばＡｎｔｏｎ  Ｐａａｒ社のレオメータＭＣＲ３０２）。測定は、例えばＩＳＯ規格６７２１−１０−２０１５−０９に記載の方法により行われてよい。試験しようとするシリンジは、規定通りに高粘度媒体により完全に満たされている。さらに、プランジャロッドユニットは試験方法開始時にシリンジ中にもたらされてシリンジと作用結合状態にあるが、シリンジとプランジャロッドユニットとは、試験方法開始時にはまだ出発位置、すなわち非作動位置に位置している。本発明の試験方法には、試験しようとする各シリンジ用に設けられた標準プランジャロッドユニットが使用され得る。例えば、５ｍｍの室内径を有するシリンジの場合には、（例えば製造者Ｄａｅｔｗｙｌｅｒの）ＦＭ２５７形式の標準プランジャが使用され得る。
【００１４】
この試験方法では、試験機の試験プランジャを介して、プランジャロッドユニットの近位端部に対し、垂直方向に力が加えられる。試験プランジャは、１２．６ｍｍ／ｍｉｎの一定の試験速度でもってシリンジの遠位端部に向かって移動させられ、このとき、プランジャロッドユニットに作用する力は最大４２０Ｎにまで、連続的に高められた。試験プランジャは、試験に際して最大１５ｍｍの距離を移動させられる。作用する力は、２００Ｈｚのサンプリングレートを有する力センサにより検出される。不密性（「漏れ」）および／またはＮＰＯが発生するかまたは４２０Ｎの最大力に到達するまで、試験プランジャが引き続き移動させられるもしくは作用する力が高められる。測定力が突如、少なくとも３０％だけ低下した場合には、試験は停止させられる、すなわち不密性（「漏れ」）および／またはＮＰＯが認められる。不密性および／またはＮＰＯの発生時点で作用している力は記録され、この力において不密性および／またはＮＰＯが発生しているか否かという情報と結び付けられる。この場合、記録された測定結果から、上述したＮＰＯ最小抵抗および平均的なＮＰＯ抵抗を求めることができる。ここで調べた不密性（「漏れ」）は、加えられた力と、これにより作用する圧力とに基づき発生する、シリンジと針ユニットとの間の不密性である。換言すると、シリンジと針ユニットとの間のルアーロック結合部の領域において、高粘度媒体が不都合に流出する力を求めることができる。
【００１５】
回避されるべき機械的な故障は、特にＮＰＯ、互いに結合された注射器コンポーネント間の不密性（「漏れ」）および／またはシリンジの破損により生じる可能性がある。本発明の発明者らは、高粘度媒体および少なくとも３１Ｇの小さなカニューレ太さを使用するためには、上述したＮＰＯ最小抵抗を有するシリンジが有利である、ということに気づいた。比較的小さな針直径もしくはカニューレ直径（例えば３０Ｇ超）は患者にとって、比較的大きな針直径もしくはカニューレ直径（例えば従来高粘度媒体とともに用いられた２７Ｇの直径）よりも少ない痛みを意味するが、ただし同時に、高粘度媒体を供給するためには、比較的大きな針直径もしくはカニューレ直径よりも高い力を加える必要がある。ＮＰＯ最小抵抗に関して上述した本発明による値は、男性ユーザが規定通りに使用した場合には、平均して９５Ｎの最大力（最大指力）でもって注射器もしくは注射装置を作動させることができる、という知見を考慮したものである。女性ユーザが規定通りに使用した場合には、平均して６４Ｎの最大力（最大指力）でもって注射器もしくは注射装置を作動させることができる。つまり上述したＮＰＯ最小抵抗は、極めて細いカニューレを用いた高粘度媒体の確実な注射を保証するにもかかわらず、過剰に寸法設定されてはいないシリンジ構造体の最適な設計を成すものである。
【００１６】
１つの改良では、シリンジは、少なくとも１００Ｎ、好適には少なくとも１０５Ｎ、好適には少なくとも１１０Ｎ、さらに好適には少なくとも１１５Ｎ、なおさらに好適には少なくとも１１７Ｎの平均的なＮＰＯ抵抗を有していてよい。特に平均的なＮＰＯ抵抗は、１００Ｎ〜１２０Ｎ、好適には１０５Ｎ〜１２０Ｎ、好適には１１０Ｎ〜１２０Ｎ、さらに好適には１１５Ｎ〜１１７Ｎであってよい。
【００１７】
平均的なＮＰＯ抵抗は、針落ちを発生させるために、上述した試験方法の枠内でシリンジ中にもたらされ、シリンジと作用結合状態にあるプランジャロッドユニットに加えられる必要のある力の平均値を示すものである。平均的なＮＰＯ抵抗に関する有意な結果を得るためには、この場合も同一の型および構成のシリンジの、少なくとも５６の測定値が必要とされている。
【００１８】
１つの実施形態では、シリンジは、少なくとも１００Ｎの漏れ最小抵抗を有していてよい。好適にはシリンジは、１０５Ｎ超、好適には１１７．５Ｎ超、さらに好適には１２５Ｎ超の漏れ最小抵抗を有していてよい。特にシリンジは、１００Ｎ〜１３０Ｎ、好適には１０５Ｎ〜１２０Ｎ、好適には１１０Ｎ〜１１５Ｎの漏れ最小抵抗を有していてよい。
【００１９】
１つの改良では、シリンジは、少なくとも１１５Ｎ、好適には少なくとも１２０Ｎ、好適には少なくとも１２３Ｎ、さらに好適には少なくとも１２５Ｎ、なおさらに好適には少なくとも１２７Ｎの平均的な漏れ抵抗を有していてよい。特に平均的な漏れ抵抗は、１１０Ｎ〜１３５Ｎ、好適には１１５Ｎ〜１３０Ｎ、好適には１２０Ｎ〜１３０Ｎ、さらに好適には１２５Ｎ〜１３０Ｎであってよい。
【００２０】
漏れ最小抵抗（不密性最小抵抗）は、上述した試験方法の枠内でシリンジ中にもたらされ、シリンジと作用結合状態にあるプランジャロッドユニットに加えられる力の閾値を示すものである。漏れ最小抵抗は、前記閾値未満で試験されたシリンジの１．８％未満に不密性が生じる、ということにより規定されている。漏れ最小抵抗に関する有意な結果を得るためには、同一の型および構成のシリンジの、少なくとも５６の測定値が必要とされている。
【００２１】
さらに平均的な漏れ抵抗は、不密性を発生させるために、上述した試験方法の枠内でシリンジ中にもたらされ、シリンジと作用結合状態にあるプランジャロッドユニットに加えられる必要のある力の平均値を示すものである。平均的な漏れ抵抗に関する有意な結果を得るためには、この場合も同一の型および構成のシリンジの、少なくとも５６の測定値が必要とされている。
【００２２】
１つの実施形態では、ルアーロックコネクタの雌ねじ山は、最大７．１５ｍｍまたは最大７．１２ｍｍの内径を有していてよい。内径は、好適には少なくとも７．０５ｍｍまたは少なくとも７．０８ｍｍであってよい。好適な実施形態では、内径は、７．０５ｍｍ〜７．１５ｍｍ、好適には７．０８ｍｍ〜７．１２ｍｍであり、好適には最大７．１ｍｍである。この内径は、スリーブ状の端部の、すなわち雌ねじ山のねじ山稜線から反対側に位置するねじ山稜線まで測定した、最小内径を表す。この寸法を有する内径は、シリンジと、シリンジに結合された針ユニットとの間の十分に密な結合に対してポジティブな影響を及ぼすことができ、ひいてはＮＰＯ最小抵抗ならびに平均的なＮＰＯ抵抗の調整に有利な影響を及ぼすことができる。このことは、漏れ最小抵抗および平均的な漏れ抵抗についても同様に当てはまる。
【００２３】
シリンジの１つの実施形態では、雌ねじ山は、ねじ山断面の稜線に、少なくとも０．４４ｍｍまたは少なくとも０．４６ｍｍの幅を有していてよい。好適には、この幅は最大０．５２ｍｍまたは最大０．５０ｍｍである。好適な実施形態では、幅は、０．４４ｍｍ〜０．５２ｍｍ、好適には０．４６ｍｍ〜０．５０ｍｍ、好適には０．４８ｍｍであってよい。
【００２４】
これに対して追加的または択一的には、雌ねじ山は、ねじ山断面の谷に、少なくとも０．８５ｍｍまたは少なくとも０．８７５ｍｍの幅を有していてよい。好適には、この幅は最大０．９５ｍｍまたは最大０．９２５ｍｍである。好適な実施形態では、幅は、０．８５ｍｍ〜０．９５ｍｍ、好適には０．８７５ｍｍ〜０．９２５ｍｍ、好適には０．９ｍｍであってよい。
【００２５】
雌ねじ山は、ねじ山断面の両側に、２２．５°〜２７．５°の角度、特に２４°〜２６°または約２５°の角度を有していてよい。この角度は、シリンジの長手方向軸線に対して直交し、ねじ山断面と交差する線と、ねじ山断面の側面との間に形成された角度を表していてよい。
【００２６】
上述した寸法に従ってねじ山断面パラメータを形成することにより、ねじ山結合部の接触面、すなわちシリンジの雌ねじ山と、付属の針ユニットの相補的な雄ねじ山との間の接触面が適合され得る。このことは、ルアーロック結合部を付属の針ユニットとともに改良するとともに、ＮＰＯ最小抵抗ならびに平均的なＮＰＯ抵抗の調整に有利な影響を及ぼし得る。このことは、漏れ最小抵抗および平均的な漏れ抵抗についても同様に当てはまる。
【００２７】
１つの改良では、外側円錐の終わりとなる、比較的広い開口を備えた、外側円錐の遠位端面は、少なくとも２．１ｍｍまたは少なくとも２．２ｍｍの距離だけ、スリーブ状部分の遠位カラーを越えて突出していてよい。１つの実施形態では、前記距離は最大２．５ｍｍまたは最大２．４ｍｍである。１つの好適な実施形態では、外側円錐の遠位端面は、２．１ｍｍ〜２．５ｍｍ、好適には２．２ｍｍ〜２．４ｍｍ、好適には２．３ｍｍの距離だけ、スリーブ状部分の遠位カラーを越えて突出している。この構造的な適合も、ＮＰＯ最小抵抗ならびに平均的なＮＰＯ抵抗の調整に有利な影響を及ぼし得る。このことは、漏れ最小抵抗および平均的な漏れ抵抗についても同様に当てはまる。
【００２８】
１つの実施形態では、シリンジは近位端部に、傾斜面を備えた内周面を有していてよく、傾斜面は、近位端部から遠位端部に向かう方向に見て、内周面を先細にしている。換言すると、内周面は傾斜面の領域において、遠位端部に向かう方向に見て収縮し、円錐形を成すように延在していてよい。傾斜面は、シリンジの室内へのプランジャロッドユニット、より正確に言うとプランジャの挿入を容易にすることができる。傾斜面は、シリンジの長手方向軸線の方向に見て、少なくとも１．２ｍｍまたは少なくとも１．４ｍｍの長さを有していてよい。複数の実施形態において、前記長さは最大１．８ｍｍまたは最大１．６ｍｍである。好適な実施形態では、前記長さは１．２ｍｍ〜１．８ｍｍ、好適には１．４ｍｍ〜１．６ｍｍであり、好適には約１．５ｍｍである。これに対して追加的または択一的に、傾斜面は長手方向軸線とともに、少なくとも１３°、好適には少なくとも１４°、好適には少なくとも１５°の角度を形成していてよい。このように寸法設定された傾斜面を形成することにより、シリンジの全長を、周知のシリンジに比べて短縮することができる。このことは、シリンジの人間工学もしくはユーザによる取扱いに有利な影響を及ぼし得る。それでもなお、このように寸法設定された傾斜面により、注射器の十分な安定性およびシール性（いわゆる容器閉鎖完全性（Container Closure Integrity, CCI））が保証され得る。つまり例えば、完全に満たされた非作動状態の注射器において、注射器の近位端部と、プランジャロッドユニットのプランジャの近位端部との間には、少なくとも９ｍｍ〜最大１０ｍｍ、または約９．５ｍｍの間隔が設けられている、ということが想定されていてよい。
【００２９】
シリンジは、１つの実施形態では８０ｍｍの最大全長および最大５ｍｍの室内径を有していてよく、この場合、シリンジ内には少なくとも１ｍｌの体積が収容可能である。より正確に言うと、室内と、室に続く、外側円錐により形成された室部分内とには、合わせて少なくとも１ｍｌの体積が収容可能である。全長は、シリンジの近位端部を画定する端面から、シリンジの遠位端部を画定する端面、すなわち外側円錐の端面まで測定され得る。室内径は、室の全長にわたって一定であってよい。例えば室内および室部分内には、合計１０７３ｍｌの体積が収容可能であってよく、これにより、室における２％の過剰充填および１ｍｍの長さの気泡封入部を許容することができる。指摘しておくと、収容可能な体積は、室および室部分全体により形成される全容積とは同一視されない。収容すべき媒体の体積と、上述した過剰充填および気泡に関する許容誤差とに加えてさらに、室は既に非作動位置において追加的にプランジャロッドユニットの一部を収容し、これを安定的に支持することができなければならない。このためにプランジャロッドユニットのプランジャは、非作動位置において既にシリンジの近位端部から十分遠くに離されてシリンジ内に収容されていなければならない。例えば、注射器の近位端部と、プランジャロッドユニットのプランジャの近位端部との間には、９．５ｍｍの間隔が設けられていてよい。
【００３０】
シリンジは、好適にはＩＳＯ規格１１０４０−６：２０１２−０４−０１内で、これに従って形成されかつ寸法設定されていてよい。
【００３１】
シリンジは、１つの別の実施形態では６０ｍｍの最大全長および最大４．６５ｍｍの室内径を有していてよく、この場合、室内および室部分内には合わせて少なくとも０．５ｍｌの体積が収容可能である。
【００３２】
シリンジは、１つの別の実施形態では７１ｍｍの最大全長および最大５ｍｍの室内径を有していてよく、この場合、室内および室部分内には合わせて少なくとも０．８ｍｌの体積が収容可能である。
【００３３】
シリンジは、１つの別の実施形態では９５ｍｍの最大全長および最大６．４５ｍｍの室内径を有していてよく、この場合、室内および室部分内には合わせて少なくとも２．２５ｍｌの体積が収容可能である。
【００３４】
シリンジは、１つの別の実施形態では１１７ｍｍの最大全長および最大６．４５ｍｍの室内径を有していてよく、この場合、室内および室部分内には合わせて少なくとも２．８ｍｌの体積が収容可能である。
【００３５】
シリンジは、１つの別の実施形態では５６ｍｍの最大全長および最大１２．２ｍｍの室内径を有していてよく、この場合、室内および室部分内には合わせて少なくとも２．８ｍｌの体積が収容可能である。
【００３６】
シリンジは、１つの別の実施形態では５８ｍｍの最大全長および最大１２．２ｍｍの室内径を有していてよく、この場合、室内および室部分内には合わせて少なくとも３．０ｍｌの体積が収容可能である。
【００３７】
シリンジは、１つの別の実施形態では１１５ｍｍの最大全長および最大８．７５ｍｍの室内径を有していてよく、この場合、室内および室部分内には合わせて少なくとも５ｍｌの体積が収容可能である。
【００３８】
上述した値は、最大寸法または正確な寸法であってよい。小さな室内径は、注射器もしくは注射装置に指の力を加えることにより高粘度の液体を投与することに対し、ポジティブな影響を及ぼす。ただし同時に、操作性を保証するためには、ともに使用されるプランジャロッドユニットの全長をも左右するシリンジの全長を極度に大きく選択しない、ということにも留意せねばならない。上述した各実施形態は、例えばさまざまなシリンジ容積に関して有利な全長と内径との組み合わせを示す実施形態を成している。
【００３９】
１つの改良では、シリンジは少なくとも室の領域に、少なくとも１．７ｍｍ、好適には少なくとも１．８ｍｍ、好適には少なくとも２．０ｍｍ、さらに好適には少なくとも２．２ｍｍの壁厚さを有していてよい。このような壁厚さの形成は、使用中のシリンジの形状安定性にポジティブな影響を及ぼすことができ、これによりシリンジの機械的な故障を減らすことができる。示した各値は、内径と外径との間の比に関して最適化された幾何学形状を成すものである。
【００４０】
シリンジは、例えば室の領域に、５ｍｍ〜１５ｍｍ、特に７．５ｍｍ〜１２．５ｍｍ、または８．４ｍｍ〜１０ｍｍ、特に約９．４ｍｍの外径を有していてよい。
【００４１】
シリンジは、標準プランジャが室内を１０ｍｍ／ｍｉｎで遠位端部に向かって移動させられる場合、４０Ｎ未満の押出し力を有するように形成されていてよい。シリンジは、標準プランジャが室内を５０ｍｍ／ｍｉｎで遠位端部に向かって移動させられる場合、７５Ｎ未満の押出し力を有するように形成されていてよい。シリンジは、標準プランジャが室内を１００ｍｍ／ｍｉｎで遠位端部に向かって移動させられる場合、１００Ｎ未満の押出し力を有するように形成されていてよい。前記各値は、約８４．５Ｐａの貯蔵弾性率Ｇ’と、約０．４８の損失率ｔａｎδと、を有する高粘度媒体の供給に関する。粘度は、プレート−プレート測定システムを用いて２５℃および１０１３．２５ｈＰａの気圧において、特に１Ｈｚの周波数でもって測定され得る（例えばＡｎｔｏｎ  Ｐａａｒ社のレオメータＭＣＲ３０２）。測定は、例えばＩＳＯ規格６７２１−１０−２０１５−０９に記載の方法により行われてよい。押出し力は、シリンジと結合された針ユニットのカニューレから媒体を流出させる力を表す。高粘度媒体は通常、低粘度媒体よりも高い押出し力を必要とする。前記各値は、３０Ｇの太さおよび１３ｍｍの長さを備えたカニューレを有する針ユニット、つまり針ユニット３０Ｇ×１／２、特に針ユニット「ＴＳＫ  ＨＹＰＯＤＥＲＭＩＣ  ＮＥＥＤＬＥ」，Ｒｅｆ．：ＨＰＣ−３００１３ｌ−３２０，３０Ｇ×１／２を備えた試験ユニットに当てはまる。この試験方法では、カニューレは開いているため、カニューレから高粘度媒体が流出可能である。針ユニットは、ルアーロックコネクタ対応部材として、（尖端部を備えた針ユニットとは異なり）ねじ山を有している。高粘度媒体に対して、このような比較的小さな押出し力を有するシリンジが必要とする、ユーザにより加えられる力はより少なく、改良された調量精度を可能にする。つまりこのようなシリンジは、高粘度媒体の使用にもかかわらず、より小さな太さ、すなわち３０Ｇ以上の太さのカニューレを備えた針ユニットの使用を可能にする。
【００４２】
１つの実施形態では、シリンジは、好適には２８００ＭＰａ〜３３００ＭＰａ、特に２９００ＭＰａ〜３２００ＭＰａ（１ｍｍ／ｍｉｎ、ＩＳＯ５２７第１部および第２部）の弾性率を有するプラスチック材料から製造されていてよい。プラスチック材料は、５８ＭＰａ〜６５ＭＰａ、特に６０ＭＰａ〜６３ＭＰａの範囲の引張強さ（５ｍｍ／ｍｉｎ、ＩＳＯ５２７第１部および第２部）を有していてよい。プラスチック材料は、０．０１％未満の吸水率を有していてよい（ＩＳＯ６２）。さらにプラスチック材料は、１８０〜１９５Ｎ／ｍｍ２の押込硬度を有していてよい（ＩＳＯ２０３９第１部に基づく９６１Ｎの荷重における３０秒値）。プラスチック材料は、１２０〜１８０℃の熱形状耐久温度を有していてよい（ＨＤＴ／Ｂ０．４５ＭＰａ、ＩＳＯ７５第１部および第２部）。プラスチック材料の線形の熱膨張係数は、６．０×１０−４Ｋ−１であってよい（ＩＳＯ１１３５９第１部および第２部）。プラスチック材料の破断点伸びは、２．５〜２．７％の範囲内であってよい（ＩＳＯ５２７第１部および第２部）。プラスチック材料の衝撃強さは、約１５ｋＪ／ｍ２であってよく（ＩＳＯ１７９／１ｅＵ）かつ／またはノッチ付衝撃強さは、１．６ｋＪ／ｍ２〜１．８ｋＪ／ｍ２の範囲内であってよい（ＩＳＯ１７９／１ｅＡ）。
【００４３】
シリンジは、１つの改良ではその近位端部にフランジを有していてよい。フランジは、シリンジの使用に際してユーザの人差し指および中指を支持するグリップを形成することができるか、またはこのようなグリップを備えていてよい。
【００４４】
本発明の１つの別の態様は、上述した形式のシリンジおよびプランジャロッドユニットを備えた、高粘度媒体を注射するための注射器に関する。プランジャロッドユニットは、プランジャロッドと、プランジャロッドの遠位端部に取り付けられたプランジャと、を有している。プランジャは、シリンジの近位端部に形成された開口を介して室内に収容されており、室内で移動可能に案内されている。プランジャは、例えば３つのシールリップを有していてよい。
【００４５】
注射器は、シリンジの室内に収容された高粘度媒体を有していてよい。１つの実施形態では、高粘度媒体は、少なくとも３０Ｐａおよび最高１５０Ｐａ、特に少なくとも５０Ｐａおよび最高１００Ｐａ、または少なくとも７０および最高９０Ｐａの貯蔵弾性率Ｇ’を特徴とする。損失率ｔａｎδは、０．２〜０．８、特に０．３〜０．６または０．４〜０．５であってよい。粘度は、プレート−プレート測定システムを用いて２５℃および１０１３．２５ｈＰａの気圧において、特に１Ｈｚの周波数でもって測定され得る（例えばＡｎｔｏｎ  Ｐａａｒ社のレオメータＭＣＲ３０２）。測定は、例えばＩＳＯ規格６７２１−１０−２０１５−０９に記載の方法により行われてよい。例えば注射器は、シリンジの室内に収容されたヒアルロン酸充填剤および／または別の美容組成を有していてよい。
【００４６】
注射器は、６ｃｍ〜１２ｃｍ、特に７．５ｃｍ〜８ｃｍの把持長さを有していてよい。把持長さは、シリンジの近位端部と、プランジャロッドユニットの近位端部との間の長さを表す。プランジャロッドユニットは、近位端部にグリップを備えていてよい。
【００４７】
本発明の１つの別の態様は、上述した形式の注射器および針ユニットを有する、高粘度媒体を注射するための注射装置に関する。針ユニットは、針基とカニューレとを有しており、この場合、針基は、シリンジと針ユニットとの間にルアーロック結合部を形成するために、シリンジのルアーロックコネクタに対して相補的なルアーロックコネクタ対応部材を有している。つまり針基は、シリンジの外側円錐に対して相補的な内側円錐と、好適にはシリンジの雌ねじ山に対して相補的な雄ねじ山と、を有している。雄ねじ山に対して択一的に、針基は、針基の外周面に配置された２つの尖端部を有していてもよい。
【００４８】
針ユニットは、少なくとも３０Ｇ（ゲージ）、好適には少なくとも３１Ｇ、好適には少なくとも３２Ｇ、好適には少なくとも３３Ｇ、さらに好適には少なくとも３４Ｇ、なおさらに好適には少なくとも３５Ｇの太さを備えたカニューレを有していてよい。カニューレは、少なくとも１０ｍｍ、好適には少なくとも１１ｍｍ、好適には少なくとも１２ｍｍ、さらに好適には少なくとも１３ｍｍの長さを有していてよい。択一的に、カニューレは２５ｍｍ以上の長さを有していてもよい。
【００４９】
針ユニットの針基は、３ｍｍ〜７ｍｍ、好適には５．５ｍｍ〜６．５ｍｍ、好適には約６．１ｍｍの、針ユニットの長手方向軸線に沿った長さを備えた内側円錐を有していてよい。
【００５０】
特に注射装置は、針ユニット「ＴＳＫ  ＨＹＰＯＤＥＲＭＩＣ  ＮＥＥＤＬＥ」Ｒｅｆ．：ＨＰＣ−３００１３ｌ−３２０，３０Ｇ×１／２またはこれと比較可能な針ユニットを有していてよい。
【００５１】
択一的に注射装置は、針ユニット「ＴＳＫ  ＳＴＥＲｉＪＥＣＴ  Ｈｙｐｏｄｅｒｍｉｃ  Ｎｅｅｄｌｅ」Ｒｅｆ．：ＰＲＣ−３００１３ｌ，３０Ｇ×１／２またはこれと比較可能な針ユニットを有していてよい。
【００５２】
１つの実施形態では、シリンジは、シクロオレフィンコポリマ（ＣＯＣ）および／またはシクロオレフィンポリマ（ＣＯＰ）を含むまたはシクロオレフィンコポリマ（ＣＯＣ）および／またはシクロオレフィンポリマ（ＣＯＰ）から成るプラスチック材料から形成されていてよい。
【００５３】
１つの改良では、プラスチック材料は、１つまたは複数の添加剤を含んでいてよく、この場合、添加剤は、好適には着色料であってよい。
【００５４】
いくつかの態様および特徴は、上でかつ以下にシリンジに関してしか説明していないにもかかわらず、これらの態様および特徴は、注射器および／または注射装置に関しても相応して当てはまり、その逆もまた然りである。
【００５５】
本発明は、本明細書に記載のシリンジ、本明細書に記載の注射器または本明細書に記載の注射装置を用いて高粘度の美容調合物を投与するステップを含む、治療方法または美容方法にも関する。１つの実施形態では、高粘度の美容調合物は、少なくとも３０Ｐａおよび最高１５０Ｐａ、特に少なくとも５０Ｐａおよび最高１００Ｐａ、または少なくとも７０および最高９０Ｐａの貯蔵弾性率Ｇ’を特徴とする。損失率ｔａｎδは、０．２〜０．８、特に０．３〜０．６または０．４〜０．５であってよい。粘度は、プレート−プレート測定システムを用いて２５℃および１０１３．２５ｈＰａの気圧において、特に１Ｈｚの周波数でもって測定され得る（例えばＡｎｔｏｎ  Ｐａａｒ社のレオメータＭＣＲ３０２）。測定は、例えばＩＳＯ規格６７２１−１０−２０１５−０９に記載の方法により行われてよい。投与には、処置されるべき生体内への美容調合物の注射が含まれていてよい。好適には、調合物は人体における投与箇所中に投与される。投与は、皮下注射であってよい。投与箇所は、人の顔もしくは人の一部であってよい。
【図面の簡単な説明】
【００５６】
以下に本発明の実施例を、添付の概略図を参照してより詳しく説明する。
【図１】本発明の１つの実施例による注射装置を示すさまざまな斜視図である。
【図２】シリンジの１つの実施例のルアーロックコネクタを示す断面図である。
【図３】図２に示したねじ山断面の詳細図である。
【図４】内部にプランジャロッドユニットが収容されたシリンジの１つの実施例を示す断面図である。
【図５】図４に示したシリンジの傾斜面の詳細図である。
【図６】本発明によるシリンジの、ＮＰＯおよび漏れに関する試験結果を表す線図である。
【図７】本発明によるシリンジの、押出し力に関する試験結果を表す線図である。
【発明を実施するための形態】
【００５７】
図中の同一符号は、同一または類似の部材を示すものである。
【００５８】
図１には、本発明の１つの実施例による注射装置１０を分解図として、かつ組立て状態で示す、さまざまな斜視図が示されている。注射装置１０は、シリンジ１２、プランジャロッドユニット１４および針ユニット１６を有している。
【００５９】
細長いシリンジ１２は、中空円筒状であり、媒体、特に高粘度媒体を収容するための室を形成している。シリンジ１２は、遠位端部１８と近位端部２０とを有している。近位端部２０は開口を有しており、この開口を介してプランジャロッドユニット１４を室内へ挿入することができるようになっている（図１の右側の図を参照）。シリンジ１２の遠位端部１８には、図２を参照して詳しく説明するルアーロックコネクタ２２が形成されている。シリンジ１２の近位端部２０はフランジ２４を備えており、フランジ２４は、シリンジ１２の使用時にユーザの人差し指と中指とを支持するグリップとして働く。
【００６０】
プランジャロッドユニット１４は、プランジャロッド２６とプランジャ２８とを有しており、プランジャ２８は、本実施例では弾性的な材料から製造されていて、３つのシールリップを有している。プランジャ２８は、プランジャロッド２６の遠位端部に取り付けられており、シリンジ１２の室の内周面にわたって室内を滑り案内され、室長手方向軸線の方向に移動可能であってよい。プランジャロッドユニット１４は近位端部にグリップ３０を有しており、ユーザの親指によりグリップ３０を介して、注射装置１０に力を加えることができるようになっている。
【００６１】
針ユニット１６は、針基３２と、中空針の形態のカニューレ３４と、を有している。図示の実施例では、カニューレ３４は、少なくとも３０Ｇの太さおよび１３ｍｍの長さを有している。ただし、異なる寸法を有するカニューレを使用してもよい。針基３２は、ルアーロックコネクタ対応部材３６を有しており、ルアーロックコネクタ対応部材３６は、シリンジ１２のルアーロックコネクタ２２とともに、密なルアーロック結合部を形成することができ、これにより、シリンジ１２を針ユニット１６に結合することができるようになっている。ルアーロックコネクタ対応部材３６、より厳密に言うと針基３２は、図示の実施例では内側円錐と、針基３２の近位端部の外周面に形成された２つの尖端部と、を有している。針基は、別の実施形態では尖端部の代わりに雄ねじ山もしくは雄ねじ山部分を備えていてよい、ということは自明である。雄ねじ山を備えたこのような実施形態により、より一層確実なルアーロック結合部が実現され得る。
【００６２】
シリンジ１２を例えば搬送中は閉じておくために、シリンジ１２はルアーロックコネクタ２２の領域において、図１に示した蓋３８により閉じられていてよい。この蓋３８は、シリンジ１２のルアーロックコネクタ２２に対して相補的に形成されている。蓋３８がシリンジ１２から取り外された後で、針ユニット１６がシリンジ１２に結合される。
【００６３】
注射装置１０は、シリンジ１２と、プランジャロッドユニット１４と、針ユニット１６とが互いに構造的に結合されて作用結合された組立て状態において、プランジャ２８が室内で近位端部２０から遠位端部１８に向かって移動させられることにより、非作動位置から作動位置にもたらされてよい。これにより、室内に収容された高粘度媒体、例えばヒアルロン酸が、カニューレ３４を通じて患者の皮膚表面下に注射され得る。
【００６４】
シリンジ１２は、図示の実施例ではシクロオレフィンポリマ（ＣＯＰ）またはシクロオレフィンコポリマ（ＣＯＣ）から製造されている。
【００６５】
図２には、シリンジ１２のルアーロックコネクタ２２の拡大断面図が示されている。ルアーロックコネクタ２２は、室内に収容された高粘度媒体を供給するための、比較的広い開口４２を備えた外側円錐４０を有している。図１および図２において認められるように、外側円錐４０は円錐形に形成されたノズルとして、シリンジ１２の遠位端部を越えて突出している。ルアーロックコネクタ２２はさらに、雌ねじ山４６を備えたスリーブ状部分４４を有している。外側円錐４０は、スリーブ状部分４４により包囲されており、この場合、外側円錐４０とスリーブ状部分４４とは、互いに同軸的に配置されている。
【００６６】
雌ねじ山４６は、雌ねじ山４６のねじ山稜線５０から反対側に位置するねじ山稜線５０’まで測定した、７．１ｍｍの最小内径Ｉ１を有している。雌ねじ山４６のねじ山谷５４から反対側に位置するねじ山谷５４’まで測定した最大内径Ｉ２は、図示の実施例では８．０ｍｍである。スリーブ状部分４４の外径ＡＨは、１０．０ｍｍである。よってスリーブ状部分４４は、１ｍｍの壁厚さを有している。
【００６７】
図２および特に図３に示す雌ねじ山４６のねじ山断面の詳細図から認められるように、雌ねじ山４６は、ねじ山断面の稜線５０に、０．４８ｍｍの幅ＢＫを有している。さらに雌ねじ山４６は、ねじ山断面の谷５４に、０．９ｍｍの幅ＢＧを有している。雌ねじ山は、ねじ山断面の両側に、それぞれ２５°の角度αおよびβを有している。これらの寸法を備えて形成されたねじ山断面は、付属の針ユニットの相補的な雄ねじ山を備えた共通の接触面を最適に固定するために役立つ。このことは、ＮＰＯ最小抵抗、平均的なＮＰＯ抵抗、漏れ最小抵抗および平均的な漏れ抵抗の的確な調整に寄与し得る。
【００６８】
外側円錐４０は、比較的広い開口４２が形成された遠位端面５６を有している。遠位端面５６は、シリンジ１２の長手方向軸線Ｌの方向に見て、２．３ｍｍの距離Ａだけ、スリーブ状部分４４の遠位カラー５８を越えて突出している。さらに外側円錐４０の遠位端面５６は、第１の完全なねじ山断面の、端面５６とは反対側の下側から、３．１ｍｍの距離Ｂだけ離れている。外側円錐４０は、図示の実施例では８．９ｍｍの円錐全長Ｃを有している。
【００６９】
特に図３に示したねじ山断面のパラメータＢＫ，ＢＧ，αおよびβ、最小内径Ｉ１および／または距離Ａは、容積がそれぞれ異なる複数のシリンジにおいて、前記寸法を備えて設けられていてよく、これにより、シリンジ１２のＮＰＯ最小抵抗、平均的なＮＰＯ抵抗、漏れ最小抵抗および平均的な漏れ抵抗に関する最適な値を達成することができる。
【００７０】
図４には、内部にプランジャロッドユニット１４が収容されたシリンジ１２の断面図が示されており、この場合、プランジャロッドユニット１４は見やすさの理由から、全体的には図示されていない。図示の実施例のシリンジ１２は、８０．０ｍｍの全長ＬＳＫを有している。この全長ＬＳＫは、シリンジの、室を形成している部分の長さと、外側円錐４０の円錐全長Ｃとから構成されている。室の室内径ＩＫは、図示の例では５ｍｍである。よってシリンジ１２の室内およびこれに続く、外側円錐４０により形成された室部分内には、合わせて１０７３ｍｍ３の体積Ｖを有する媒体、特に高粘度媒体が収容され得る。この収容可能な体積Ｖは、シリンジ１２が１ｍｌの体積の高粘度媒体を供給すべきであるという考察およびその結果生じた構成手段から得られる。さらに、室は２％の過剰充填および１ｍｍの長さ（長さｓ参照）の気泡封入部を可能にする必要がある。収容すべき媒体の体積と、上述した過剰充填および気泡に関する許容誤差とに加えてさらに、室は既に非作動位置においてプランジャロッドユニットの一部を収容し、これを安定的に支持することができなければならない。このためにプランジャロッドユニット１４のプランジャ２８の近位端部は、非作動位置において既に９．５ｍｍの距離ｕだけ、シリンジ１２の近位端部から離されて配置されていることが望ましい。さらにこの非作動位置では、プランジャロッドユニット１４のプランジャ２８の第３の（近位）シールリップもやはり、シリンジ１２の傾斜面６０から９．５ｍｍの距離ｏだけ離れて配置されている。プランジャ２８は、例えば６．９ｍｍの長さｔを有している。
【００７１】
傾斜面６０は、シリンジ１２の近位端部２０の内周面に形成されている。傾斜面６０は、近位端部２０から遠位端部１８に向かう方向に見て、シリンジ１２の内周面を先細にしている。
【００７２】
図５には、傾斜面６０が拡大して示されている。傾斜面６０は、シリンジ１２の長手方向軸線Ｌの方向に見て１．５ｍｍの長さｗを有しており、長手方向軸線Ｌとともに、１５°の角度γを形成している。傾斜面６０の、シリンジ１２の近位端部への移行領域には、０．５ｍｍの半径Ｒが設けられている。
【００７３】
図示の実施例のシリンジ１２は、室の領域に２．２ｍｍの壁厚さを有しており、このことは、シリンジの破損に対する十分な形状安定性に役立つ。
【００７４】
図６には、ＮＰＯおよび漏れに対するシリンジの異なる測定抵抗を示す、本発明によるシリンジに関する試験結果を表す線図が示されている。根拠となる試験は、図１〜図５に示したシリンジ１２を用いて実施された。線図のｘ軸の方向には、図示の測定値列（５６の個別測定値）のそれぞれ異なる測定値が示されている。ｙ軸は、ＮＰＯまたは漏れによりシリンジが故障した時点で注射器にもたらされた、測定された力を示す。
【００７５】
試験方法に関しては、試験すべきシリンジ１２が「ＴｅｓＴ」社の「ＴｅｓＴ  １０６．２ｋＮ」型のユニバーサル試験機内に鉛直方向に配置され、シリンジ１２の近位端部の領域において保持された。試験開始前に、試験されるシリンジ１２はルアーロックコネクタ２２を介して、ルアーロック結合部を形成するためにルアーロックコネクタ対応部材として内側円錐と、針ユニットの針基の外周面に配置された２つの尖端部と、を有する針ユニット「ＴＳＫ  ＳＴＥＲｉＪＥＣＴ  Ｈｙｐｏｄｅｒｍｉｃ  Ｎｅｅｄｌｅ」Ｒｅｆ．：ＰＲＣ−３００１３ｌ，３０Ｇ×１／２に結合された。シリンジ１２のルアーロックコネクタ２２は、１２Ｎｃｍのトルクでもって、針ユニットのルアーロックコネクタ対応部材にねじ締結された。針ユニットの、３０Ｇの太さおよび１３ｍｍ（３０Ｇ×１／２）の長さを有するカニューレは、試験方法実施前にハンマーにより平らにされ、これにより閉じられた。この試験方法のためには、針ユニットがシリンジにねじ嵌められてから、高粘度媒体が室内に充填されたことにより、乾式のルアーロック結合部が形成された。試験方法は、蒸気殺菌されていないコンポーネント（シリンジ、針ユニット、プランジャロッドユニット）を用いて実施された。本試験方法には、高粘度プラシーボ媒体が用いられた。この高粘度プラシーボ媒体は、約８４．５Ｐａの貯蔵弾性率Ｇ’と、約０．４８の損失率ｔａｎδを有していた。粘度は、プレート−プレート測定システムを用いて２５℃および１０１３．２５ｈＰａの気圧において測定された（例えばＡｎｔｏｎ  Ｐａａｒ社のレオメータＭＣＲ３０２）。周波数は１Ｈｚであった。測定は、ＩＳＯ規格６７２１−１０−２０１５−０９に従って実施された。試験されたシリンジ１２は前記材料、すなわち１０７３ｍｍ３の体積を有する材料で完全に満たされた。プランジャユニットには、製造者ＤａｅｔｗｙｌｅｒのＦＭ２５７形式の標準プランジャが用いられた。
【００７６】
試験機の試験プランジャを介して、プランジャロッドユニットの近位端部に対し、垂直方向に力が加えられた。試験プランジャは、１２．６ｍｍ／ｍｉｎの一定の試験速度でもってシリンジの遠位端部に向かって移動させられ、このとき、プランジャロッドユニットに作用する力は連続的に高められた。最大力として４２０Ｎの力が調整され、この最大力において試験は中断された。作用する力は、２００Ｈｚのサンプリングレートを有する力センサにより検出された。試験プランジャは、不密性（「漏れ」）および／またはＮＰＯが認められるまで、すなわち測定力が突如、少なくとも３０％だけ低下するまで、引き続き連続的に移動させられた。
【００７７】
不密性および／またはＮＰＯの発生時点において作用している力が測定毎に記録され、図６に示した線図に書き込まれた。図６に示す線図は、５６の測定値を含む測定値列の結果を表している。線図に表された結果は、５６の測定値のうち、１００Ｎ未満の力においてＮＰＯまたは漏れによるシリンジの故障が発生しているものは１つもない、ということを示している。５６回の測定実施数は、ＮＰＯ最小抵抗が決定され得る、ということを保証するものであり、ＮＰＯ最小抵抗は、前記閾値未満で試験されたシリンジの１．８％以下に「針落ち」が生じる、ということにより規定されている。
【００７８】
注射器を実際に操作する最大指力は平均して９５Ｎであるため、本発明によるシリンジにより、ＮＰＯおよび／または漏れの発生が回避され得る。
【００７９】
図７には、従来技術から周知の製品の押出し力と比較した、本発明によるシリンジの押出し力に関する試験結果を表す、別の線図が示されている。線図のｘ軸の方向には、それぞれ異なる測定値が示されている。ｙ軸は、測定された押出し力を表す。この線図には、３つの異なる試験速度を用いた測定が示されている。
【００８０】
図１〜図５に示した実施例によるシリンジと、充填容積が１ｍｌの「ＳＣＨＯＴＴ  ＣＯＣ  標準型」シリンジ（呼称「ＴｏｐＰａｃ  １ｍｌ  ロング」）とが比較された。プランジャユニット用には、両シリンジとともに、製造者ＤａｅｔｗｙｌｅｒのＦＭ２５７形式の標準プランジャが用いられた。針ユニットとしては、両シリンジとともに、３０Ｇの太さおよび１３ｍｍの長さを有する、開いた（平らにされていない）カニューレを備えた針ユニット「ＴＳＫ  ＨＹＰＯＤＥＲＭＩＣ  ＮＥＥＤＬＥ」、Ｒｅｆ．：ＨＰＣ−３００１３ｌ−３２０、３０Ｇ×１／２が用いられた。押し出される媒体としては、高粘度媒体が用いられた。この高粘度媒体は、約８４．５Ｐａの貯蔵弾性率Ｇ’と、約０．４８の損失率ｔａｎδを有していた。粘度は、プレート−プレート測定システムを用いて２５℃および１０１３．２５ｈＰａの気圧において測定された（例えばＡｎｔｏｎ  Ｐａａｒ社のレオメータＭＣＲ３０２）。周波数は１Ｈｚであった。測定は、ＩＳＯ規格６７２１−１０−２０１５−０９に従って実施された。
【００８１】
試験は、１００ｍｍ／ｍｉｎ、５０ｍｍ／ｍｉｎおよび１０ｍｍ／ｍｉｎの試験速度でもってプランジャをシリンジ内で近位から遠位に向かって移動させて行われた。試験結果は、１００ｍｍ／ｍｉｎの試験速度において、本発明によるシリンジの押出し力は、従来技術によるシリンジに比べ、１７２．３Ｎから９４．９Ｎに低下された、ということを示している。さらに試験結果は、５０ｍｍ／ｍｉｎの試験速度において、本発明によるシリンジの押出し力は、従来技術によるシリンジに比べ、１３６．４Ｎから７３．９Ｎに低下された、ということを示している。さらに試験結果は、１０ｍｍ／ｍｉｎの試験速度において、本発明によるシリンジの押出し力は、従来技術によるシリンジに比べ、７３．５Ｎから３８．３Ｎに低下された、ということを示している。
【００８２】
つまり本発明によるシリンジ１２の押出し力は、周知のシリンジの押出し力よりも大幅に小さくなっている。よって本発明によるシリンジが高粘度媒体を供給するために必要とする、ユーザによりもたらされる力は、より少なくなっており、これにより、改良された調量精度を可能にする。つまり本発明によるシリンジは、高粘度媒体の使用にもかかわらず、より小さな太さ、すなわち３０Ｇ以上の太さのカニューレを備えた針ユニットの使用を可能にする。
【符号の説明】
【００８３】
１０  注射装置
１２  シリンジ
１４  プランジャロッドユニット
１６  針ユニット
１８  遠位端部
２０  近位端部
２２  ルアーロックコネクタ
２４  フランジ
２６  プランジャロッド
２８  プランジャ
３０  グリップ
３２  針基
３４  カニューレ
３６  尖端部
３８  蓋
４０  外側円錐
４２  開口
４４  スリーブ状部分
４６  雌ねじ山
５０，５０’  稜線
５４，５４’  谷
５６  端面
５８  遠位カラー
６０  傾斜面
Ｌ  長手方向軸線
Ａ  距離
Ｂ  距離
Ｃ  円錐全長
Ｉ１  最小内径
Ｉ２  最大内径
ＡＨ  外径
ＢＫ  幅  稜線
ＢＧ  幅  谷
α  ねじ山断面における角度
β  ねじ山断面における別の角度
γ  傾斜面の角度
ＩＫ  室内径
Ｖ  収容可能な体積
ＬＳＫ  全長
ｏ  距離
ｓ  気泡の長さ
ｔ  プランジャ長さ
ｕ  距離
ｗ  傾斜面の長さ
【図１】
2020124496.tif 000003
【図２】
2020124496.tif 000004
【図３】
2020124496.tif 000005
【図４】
2020124496.tif 000006
【図５】
2020124496.tif 000007
【図６】
2020124496.tif 000008
【図７】
2020124496.tif 000009
【外国語明細書】
2020124496.tif 000010
2020124496.tif 000011
2020124496.tif 000012
2020124496.tif 000013
2020124496.tif 000014
2020124496.tif 000015
2020124496.tif 000016
2020124496.tif 000017
2020124496.tif 000018
2020124496.tif 000019
2020124496.tif 000020
2020124496.tif 000021
2020124496.tif 000022
2020124496.tif 000023
2020124496.tif 000024
2020124496.tif 000025
2020124496.tif 000026
2020124496.tif 000027
2020124496.tif 000028
2020124496.tif 000029
2020124496.tif 000030
2020124496.tif 000031
2020124496.tif 000032
2020124496.tif 000033
2020124496.tif 000034
2020124496.tif 000035
2020124496.tif 000036
2020124496.tif 000037